(57)【要約】【課題】下部蓄電池本体ユニットと、上部制御部との間の配線を整然と納めることができ、取り付けた際に無駄なスペースを無くすことができる蓄電池ユニットを提供する。【解決手段】下部蓄電池本体ユニット１１，１１の上に、上部制御ユニット１２をセットバックさせて設けて組み立てられる蓄電池ユニット１であり、このセットバックさせて形成されたセットバック領域Ｓに面する下部蓄電池本体ユニット１１，１１の上面と上部制御ユニット１２の側面に、配線取出口がそれぞれ設けられており、セットバック領域Ｓ内で、下部蓄電池本体ユニット１１，１１と上部制御ユニット１２とが配線２１，・・・，２２，２２で接続された構成とされている。【選択図】図１
2016207257.tif 000002
【特許請求の範囲】
【請求項１】
下部蓄電池本体ユニットの上に、上部制御ユニットをセットバックさせて設けて組み立てられるものであり、
このセットバックさせて形成されたセットバック領域に面する前記下部蓄電池本体ユニットの上面と前記上部制御ユニットの側面に、配線取出口がそれぞれ設けられており、前記セットバック領域内で、前記下部蓄電池本体ユニットと前記上部制御ユニットとが配線で接続されることを特徴とする蓄電池ユニット。
【請求項２】
前記下部蓄電池本体ユニットは、複数個であり、全体で必要な容量とされていることを特徴とする請求項１に記載の蓄電池ユニット。
【請求項３】
前記複数個の下部蓄電池本体ユニットは、横方向に並んで配置されており、いずれも上面が前記セットバック領域に面していることを特徴とする請求項２に記載の蓄電池ユニット。
【請求項４】
前記下部蓄電池本体ユニットには、取手が設けられていることを特徴とする請求項１乃至３のいずれか１項に記載の蓄電池ユニット。
【請求項５】
請求項１乃至４のいずれか１項に記載の蓄電池ユニットが、ユニット建物を構成する建物ユニットに、工場で予め取り付けられていることを特徴とする蓄電池ユニットの取付構造。
【請求項６】
前記下部蓄電池本体ユニットの下面が、取付金具を介して、取付箇所に取り付けられていることを特徴とする請求項５に記載の蓄電池ユニットの取付構造。
【請求項７】
少なくとも、前記セットバック領域に空間が形成されるように、前記蓄電池ユニットの周囲が化粧カバーで覆われていることを特徴とする請求項５又は６に記載の蓄電池ユニットの取付構造。
【発明の詳細な説明】
【技術分野】
【０００１】
本発明は、下部蓄電池本体ユニットの上に、上部制御部を設けて組み立てられた蓄電池ユニット、及びこの蓄電池ユニットの取付構造に関するものである。
【背景技術】
【０００２】
従来から、下部蓄電池本体ユニットの上に、上部制御部を設けて組み立てられた蓄電池ユニットは知られており、広く実施されている（例えば特許文献１等を参照）。
【先行技術文献】
【特許文献】
【０００３】
【特許文献１】特開２０１３−１２５６１２号公報
【発明の概要】
【発明が解決しようとする課題】
【０００４】
しかしながら、上記した特許文献１をはじめとした従来の蓄電池ユニットは、下部蓄電池本体ユニットと、上部制御部との間の配線が、下部蓄電池本体ユニットの側面にまで配設されるなど整然としておらず、その分、取り付けた際に無駄なスペースができてしまっていた。
【０００５】
そこで、本発明は、下部蓄電池本体ユニットと、上部制御部との間の配線を整然と納めることができ、取り付けた際に無駄なスペースを無くすことができる蓄電池ユニット、及びこの蓄電池ユニットの取付構造を提供することを目的としている。
【課題を解決するための手段】
【０００６】
前記目的を達成するために、本発明の蓄電池ユニットは、下部蓄電池本体ユニットの上に、上部制御ユニットをセットバックさせて設けて組み立てられるものであり、このセットバックさせて形成されたセットバック領域に面する前記下部蓄電池本体ユニットの上面と前記上部制御ユニットの側面に、配線取出口がそれぞれ設けられており、前記セットバック領域内で、前記下部蓄電池本体ユニットと前記上部制御ユニットとが配線で接続されることを特徴とする。
【０００７】
ここで、前記下部蓄電池本体ユニットは、複数個であり、全体で必要な容量とされているとよい。
【０００８】
また、前記複数個の下部蓄電池本体ユニットは、横方向に並んで配置されており、いずれも上面が前記セットバック領域に面しているとよい。
【０００９】
さらに、前記下部蓄電池本体ユニットには、取手が設けられているとよい。
【００１０】
本発明の蓄電池ユニットの取付構造は、上記した本発明の蓄電池ユニットが、ユニット建物を構成する建物ユニットに、工場で予め取り付けられていることを特徴とする。
【００１１】
ここで、前記下部蓄電池本体ユニットの下面が、取付金具を介して、取付箇所に取り付けられているとよい。
【００１２】
また、少なくとも、前記セットバック領域に空間が形成されるように、前記蓄電池ユニットの周囲が化粧カバーで覆われているとよい。
【発明の効果】
【００１３】
このような本発明の蓄電池ユニットは、下部蓄電池本体ユニットの上に、上部制御ユニットをセットバックさせて設けて組み立てられるものであり、このセットバックさせて形成されたセットバック領域に面する下部蓄電池本体ユニットの上面と上部制御ユニットの側面に、配線取出口がそれぞれ設けられており、セットバック領域内で、下部蓄電池本体ユニットと上部制御ユニットとが配線で接続された構成とされている。
【００１４】
上記した構成なので、上部制御部をユニット化して上部制御ユニットとするため、組み立てを簡易化することができるうえに、下部蓄電池本体ユニットの上に、上部制御ユニットをセットバックさせて設けて組み立てられるため、このセットバックさせて形成されたセットバック領域を利用して、下部蓄電池本体ユニットと上部制御ユニットとの間の配線を整然と納めることができ、取り付けた際に無駄なスペースを無くすことができる。
【００１５】
ここで、下部蓄電池本体ユニットは、複数個であり、全体で必要な容量とされている場合は、重量が大きい下部蓄電池本体ユニットが複数個から成るので、それぞれの重量が抑えられ、組み立てる際の移動が容易である。
【００１６】
また、複数個の下部蓄電池本体ユニットは、横方向に並んで配置されており、いずれも上面がセットバック領域に面している場合は、複数個の下部蓄電池本体ユニット同士を繋ぐ配線も、セットバック領域内で行うことができる。
【００１７】
さらに、下部蓄電池本体ユニットには、取手が設けられている場合は、重量の大きい下部蓄電池本体ユニットを組み立てる際の持ち運びが容易である。
【００１８】
このような本発明の蓄電池ユニットの取付構造は、上記した本発明の蓄電池ユニットが、ユニット建物を構成する建物ユニットに、工場で予め取り付けられた構成とされている。
【００１９】
上記した構成なので、現場では蓄電池ユニットが既に取り付けられた状態となっているので、その分、蓄電池ユニットを備えた建物ユニットを構築するための工期を短縮することができる。
【００２０】
ここで、下部蓄電池本体ユニットの下面が、取付金具を介して、取付箇所に取り付けられている場合は、取付金具によって、重量の大きい蓄電池ユニットが取り付けられる取付箇所を補強することができる。
【００２１】
また、少なくとも、セットバック領域に空間が形成されるように、蓄電池ユニットの周囲が化粧カバーで覆われている場合は、配線が配設されるセットバック領域が化粧カバーで押し潰されずに済むので、配線が痛むことがなく、そのことによる漏電等を防止することができる。
【図面の簡単な説明】
【００２２】
【図１】実施例の蓄電池ユニットの取付構造により蓄電池ユニットが取り付けられた建物ユニットの概略構成を示す図である。
【図２】実施例の蓄電池ユニットの取付構造の工場での組立工程１を示す図である。
【図３】実施例の蓄電池ユニットの取付構造の工場での組立工程２を示す図である。
【図４】実施例の蓄電池ユニットの取付構造の工場での組立工程３を示す図である。
【図５】実施例の蓄電池ユニットの取付構造の工場での組立工程４を示す図である。
【発明を実施するための形態】
【００２３】
以下、本発明を実施するための形態を、図面に示す実施例に基づいて説明する。
【実施例】
【００２４】
先ず、実施例の構成について説明する。
【００２５】
図１は、実施例の蓄電池ユニットの取付構造により実施例の蓄電池ユニット１が取り付けられた建物ユニットＵの概略構成を示している。
【００２６】
この実施例の蓄電池ユニット１は、下部蓄電池本体ユニット１１，１１と、これら下部蓄電池本体ユニット１１，１１の上にセットバックさせて設けた上部制御ユニット１２とを組み合わせて主に構成されるものである。
【００２７】
ここで、下部蓄電池本体ユニット１１は、２個であり、この２個分全体で必要な容量とされている。
【００２８】
また、２個の下部蓄電池本体ユニット１１，１１は、横方向に並んで配置されており、いずれも上面が、セットバックさせて形成されたセットバック領域Ｓに面している。
【００２９】
そして、下部蓄電池本体ユニット１１，１１と上部制御ユニット１２とを繋ぐ配線２１，・・・，２２，２２，２３，２３の配線取出口は、セットバック領域Ｓに面する下部蓄電池本体ユニット１１，１１の上面と上部制御ユニット１２の側面にそれぞれ設けられている。
【００３０】
ここで、配線２１は、電源用の配線であり、配線２２は、制御通信用の配線であり、配線２３は、下部蓄電池本体ユニット１１，１１間の制御通信中継用の配線である。
【００３１】
なお、配線２４は、ユニット建物を建築する現場で取り付けられるパワーコンディショナー用の配線であるが、一端部は、上部制御ユニット１２の側面に予め接続しておく。
【００３２】
さらに、下部蓄電池本体ユニット１１，１１には、取手３，３がそれぞれ設けられており、組み立てる際の移動を容易としている。
【００３３】
次に、この実施例の蓄電池ユニットの取付構造により蓄電池ユニット１を工場で建物ユニットＵへ取り付けるための組立方法について、図２〜図５を参照しながら説明する。
【００３４】
まず、図２に示したように、建物ユニットＵの１つのコーナー部分の床面に、固定手段としてのネジ５，・・・により、取付金具４を取り付け、この床面を補強する。
【００３５】
続いて、図３に示したように、取付金具４の上に、下部蓄電池本体ユニット１１，１１を載置する。
【００３６】
なお、取付金具４の左右側縁及び後縁には、立ち上がったリップ部４ａが形成されており、下部蓄電池本体ユニット１１，１１を取付金具４の上に載置する際に建物ユニットＵの壁面を傷付けずに済み、且つ、正確な位置に載置できるようになっている。
【００３７】
また、下部蓄電池本体ユニット１１を取付金具４の上に載置するために移動する際には、下面に合板等の緩衝材６をかませて、取手３，３を手で持って移動し、床面が傷付かないようにしている。
【００３８】
さらに、下部蓄電池本体ユニット１１からのびる配線２１，２１，２２，２３は、移動中に絡まないように粘着テープ等で仮固定しておく。
【００３９】
そして、取付金具４の上に下部蓄電池本体ユニット１１，１１を載置した後は、図４に示したように、下部蓄電池本体ユニット１１の四隅を、固定手段としてのボルト７１，７１，７２，７２で取付金具４にそれぞれ固定する。
【００４０】
なお、後部のボルト７２，・・・を長ボルトとしているのは、壁面が邪魔になって手が入らないからであり、下部蓄電池本体ユニット１１に設けたボルト孔を長孔とし、緩みが無いように、間にスプリングワッシャーと平ワッシャーをかませている。
【００４１】
そして、図５に示したように、下部蓄電池本体ユニット１１，１１の上に、上部制御ユニット１２をセットバックさせて載置し、固定手段としてのネジ８，・・・により固定する。
【００４２】
また、下部蓄電池本体ユニット１１からのびる配線２１，２１，２２の先端部のコネクタを、上部制御ユニット１２の側面の対応するコネクタに接続し、配線２３の先端部のコネクタ同士も接続する。
【００４３】
最後に、このようにして組み立てられた蓄電池ユニット１の周囲を、化粧カバー９で覆い、この化粧カバー９の下端部を、取付金具４の外側の四隅に形成された係止部４ｂ，・・・へ係止すると、図１に示したように、実施例の蓄電池ユニットの取付構造が完成する。
【００４４】
なお、この化粧カバー９で覆った状態では、セットバック領域Ｓに空間が形成されており、内部の配線２１，・・・，２２，２２，２３，２３，２４を押し潰さないようになっている。
【００４５】
また、化粧カバー９で覆った状態では、蓄電池ユニット１の左右両側に、排熱用の空間も形成されている。
【００４６】
これにより、この建物ユニットＵを、トラック等の通常の輸送手段でユニット建物を建築している現場へ輸送すれば、現場では建物ユニットＵに蓄電池ユニット１を取り付ける作業をしないで済む。
【００４７】
次に、実施例の作用効果について説明する。
【００４８】
このような実施例の蓄電池ユニット１は、下部蓄電池本体ユニット１１，１１の上に、上部制御ユニット１２をセットバックさせて設けて組み立てられるものであり、このセットバックさせて形成されたセットバック領域Ｓに面する下部蓄電池本体ユニット１１，１１の上面と上部制御ユニット１２の側面に、配線取出口がそれぞれ設けられており、セットバック領域Ｓ内で、下部蓄電池本体ユニット１１，１１と上部制御ユニット１２とが配線２１，・・・，２２，２２で接続された構成とされている。
【００４９】
上記した構成なので、上部制御部をユニット化して上部制御ユニット１２とするため、組み立てを簡易化することができるうえに、下部蓄電池本体ユニット１１，１１の上に、上部制御ユニット１２をセットバックさせて設けて組み立てられるため、このセットバックさせて形成されたセットバック領域Ｓを利用して、下部蓄電池本体ユニット１１，１１と上部制御ユニット１２との間の配線２１，・・・，２２等を整然と納めることができ、取り付けた際に無駄なスペースを無くすことができる。
【００５０】
ここで、下部蓄電池本体ユニット１１は、２個であり、２個分全体で必要な容量とされている。
【００５１】
このため、重量が大きい下部蓄電池本体ユニット１１が２個から成るので、それぞれの重量が約半分に抑えられ、組み立てる際の移動が容易である。
【００５２】
また、２個の下部蓄電池本体ユニット１１，１１は、横方向に並んで配置されており、いずれも上面がセットバック領域Ｓに面している。
【００５３】
このため、２個の下部蓄電池本体ユニット１１，１１同士を繋ぐ制御通信中継用の配線２３，２３も、セットバック領域Ｓ内で行うことができる。
【００５４】
さらに、下部蓄電池本体ユニット１１，１１には、取手３，３がそれぞれ設けられている。
【００５５】
このため、重量の大きい下部蓄電池本体ユニット１１，１１を組み立てる際の持ち運びが容易である。
【００５６】
このような実施例の蓄電池ユニットの取付構造は、上記した実施例の蓄電池ユニット１が、ユニット建物を構成する建物ユニットＵに、工場で予め取り付けられた構成とされている。
【００５７】
上記した構成なので、現場では蓄電池ユニット１が既に取り付けられた状態となっているので、その分、蓄電池ユニット１を備えた建物ユニットを構築するための工期を短縮することができる。
【００５８】
ここで、下部蓄電池本体ユニット１１，１１の下面が、取付金具４を介して、取付箇所の床面に取り付けられている。
【００５９】
このため、取付金具４によって、重量の大きい蓄電池ユニット１が取り付けられる取付箇所の床面を補強することができる。
【００６０】
また、セットバック領域Ｓに空間が形成されるように、蓄電池ユニット１の周囲が化粧カバー９で覆われている。
【００６１】
このため、配線２１，・・・，２２，２２，２３，２３，２４が配設されるセットバック領域Ｓが化粧カバー９で押し潰されずに済むので、配線２１，・・・，２２，２２，２３，２３，２４が痛むことがなく、そのことによる漏電等を防止することができる。  
【００６２】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００６３】
例えば、上記した実施例では、下部蓄電池本体ユニット１１を２個用いて蓄電池ユニット１を組み立て実施したが、これに限定されず、全体で必要な容量であれば、１個で実施してもよいし、３個以上で実施してもよい。
【符号の説明】
【００６４】
Ｕ      建物ユニット
Ｓ      セットバック領域
１      蓄電池ユニット
１１    下部蓄電池本体ユニット
１２    上部制御ユニット
２１    配線
２２    配線
２３    配線
２４    配線
３      取手
４      取付金具
４ａ    取付金具のリップ部
４ｂ    取付金具の係止部
５      ネジ（固定手段）
６      緩衝材
７１    ボルト（固定手段）
７２    ボルト（固定手段）
８      ネジ（固定手段）
９      化粧カバー
【図１】
2016207257.tif 000003
【図２】
2016207257.tif 000004
【図３】
2016207257.tif 000005
【図４】
2016207257.tif 000006
【図５】
2016207257.tif 000007